(57)【要約】【課題】  両面使用でき、且つ容易に着脱することのできる度々交換することが不要で、おしゃぶりを固定することが可能なお洒落アイテムとしても使用できる涎掛けを提供する。【解決手段】  首から下げて前胸部で重ね合わせることのできる両端部に向かって幅広になる帯状の表面が見えるように重ね合わせた同一形状の二枚の布片本体１と他の布片本体４に、布片本体１の片側どちらかに面ファスナーの一片ａを設け、且つ面ファスナーと反対側に内側から外側に向けて帯２を設け、その先端部分にボタンなどの結合手段３を設けさせる。布片本体４の他片面ファスナーｂと帯５及び結合手段６は布片本体１とは逆側に設ける。【選択図】図１
0003137678.tif 000002
【実用新案登録請求の範囲】
【請求項１】
首から下げて前胸部で重ね合わせることのできる両端部に向かって幅広になる帯状の、表面が見えるように重ね合わせた同一形状の二枚の布片本体からなり、該布片の一方の端部のいずれかに、面ファスナーの一片を施し、且つ面ファスナーと反対側端部に、内側から外側に向けて帯を設け、該帯の先端部分に適宜結合手段を施し、前記布片の他方には前記面ファスナーと前記帯及び前記結合手段を前記一方の布片と、逆側に設けることを特徴とする涎掛け。
【考案の詳細な説明】
【技術分野】
【０００１】    本考案は涎掛けに関するものである。
【背景技術】
【０００２】  従来、乳幼児が使用している涎掛けにおいて、着用時、頚部の真後ろや横側に面ファスナーかボタンで結合するもの、又は、紐で縛るなどして固定されるものが一般的である。形においては首から胸元にかけて扇状になったものや、逆三角形のバンダナ型になっているものが多く１〜２枚の布で構成されており、おしゃぶり本体を収納したり引っかけたりして固定するような工夫が成されている涎掛けは一般的に知られていない。
【考案の開示】
【考案が解決しようとする課題】
【０００３】  上記公知の涎掛けにおいては、着用時、着脱の結合手段が頚部の真後ろや横側にあり、頚部に直接面ファスナーが触れたり、擦れたりしやすく皮膚に発赤や不快感を生じさせることが多い。又、着用したまま子供を横抱きにすると面ファスナーや紐が抱いている人の腕にあたり子供の頚部を圧迫し、その状態で涎掛けを除去するにも特に子供が眠ってしまった場合には、片手でスムーズに行えない。【０００４】  頚部に着脱の結合手段が近い為か面ファスナーの面積が小さいものが多く、きつくする、緩くするというサイズ調整が困難であり、紐の場合大きい涎掛けには何本も紐を必要として着脱が面倒である。【０００５】  涎掛けの面積が大きいものにおいて、大きさはあっても涎の多い子の場合すぐに服へと浸透してしまい、一部分しか濡れていないのに何度も交換を必要とし外出時には荷物ともなる。又、大きい為に折角の可愛い服が隠れてしまったり、ジャンバーの中に収めることでジャンバーの襟元だけは汚れてしまったりすることがある。面積の小さいものにおいては、服を隠したりはしないが、すぐに濡れて交換を必要とし首元での安定感が少なく位置がズレやすい。【０００６】  涎掛けに紐（ストラップ）を付けたおしゃぶりを装着している場合、おしゃぶりを口から外した際には、体の下方にぶら下がり、ベビーカーに座っている体の下敷きになったり、お座りの状態であればおしゃぶりが床や地面に接触し不潔になったりしてしまう。その為、おしゃぶりを外しキャップをして鞄に収納することが多く、手間であり紛失することもある。
本考案は以上のような問題点を解決する涎掛けを提供することを目的とする。
【課題を解決するための手段】
【０００７】  首から下げて前胸部で重ね合わせることのできる両端部に向かって幅広になる帯状の、表面が見えるように重ね合わせた同一形状の二枚の布片本体からなり、該布片の一方の端部のいずれかに、面ファスナーの一片を施し、且つ面ファスナーと反対側端部に、内側から外側に向けて帯を設け、該帯の先端部分に、ボタン等の結合手段を施し、前記布片の他方には前記面ファスナーと前記帯及び前記結合手段を前記一方の布片と、逆側に設ける。
本考案は、以上の構成よりなることを特徴とする涎かけである。
【考案の効果】  本考案の涎掛けは、上述の手段を講じたことにより、頚部に直接面ファスナーが触れることなく皮膚への負担を抑え、着用者の首に極めて容易に着脱できる。また、面ファスナーの面積を大きくすることが可能となり、首周りのサイズ調整が広範囲にできる。使用する布は前胸部で重なり合うため、涎の吸収力は増大し布面積を最小限に抑えることができる。このことにより、外出時ジャンバーの外側に出しても襟元の邪魔にならない他、持ち運びにもコンパクトである。また、前胸部でしっかり重ね合わせることで、ぐるぐると首元を回ったりせず安定感を得ることができる。涎掛けに設けられたおしゃぶりを固定することのできる帯によって、従来までのおしゃぶりを何度も外して収納する手間がなくなり、おしゃぶりの紛失やキャップ持参を不要とすることが可能となる。更に、両面使用できる涎掛けであり、異なったデザインが楽しめ、襟元のお洒落アイテムとしても使用でき、涎の出ない子にも個々のオリジナリティを高めることができる。
【実施例】  以下、図面に示す実施例に従って本考案の実施態様について説明する。【０００８】  図１においてＡは本考案の正面図でありＢは背面図である。
（イ）両端部に向かって幅広になる帯状で同一形状の二枚の通気性や吸収性、または肌触りの良い布片本体１と他の布片本体４を布の表面が見えるように重ね合わせる。
（ロ）布片本体１の片側どちらかに着脱自在に接合するための面ファスナーａを設ける。
（ハ）布片本体１の布片の面ファスナーａと反対側に内側から外側に向けて帯２を設け、その先端部分にスナップボタン３による結合手段を設ける。尚、スナップボタン３以外に面ファスナー等の適宜結合手段を選択するのは構わない。
（ニ）二枚目の布片本体４に他片面ファスナーｂと帯５、及びスナップボタン６の結合手段を設ける。布片本体１の時とは逆側にそれぞれ帯２の裏に面ファスナーｂ、面ファスナーａの裏に帯５とスナップボタン６がくるように付ける。
本考案は以上の構成よりなる。【０００９】  図２は、本考案の装着外観の拡大図である。
両面使用できるので布片本体１か布片本体４どちらかの面を首から下げて前胸部で重ね合わせ、図１で示した面ファスナーａと面ファスナーｂで首周りのサイズを調整し図のように着ける。
布片本体１と布片本体４で面ファスナーと帯とがそれぞれ逆側に付いているので、どちらを表面に使用しても重ね合わさり方は同じであり、合わせの組み換えが不要である。【００１０】  図３は、重なり合った状態で一枚目と二枚目がどのような構造で重なっているかをわかりやすくしている図である。【００１１】  図４のＡにおいてｄはおしゃぶり、ｃは布片本体からおしゃぶりが外れないように布片本体１及び布片本体４と、おしゃぶりｄを接続しているフック付の紐であり、図Ａは、おしゃぶりを使用しておらず、紐から垂れ下がっている状態である。
Ｂは、使用していないおしゃぶりを帯にかけて垂れ下がらないように固定した状態である。おしゃぶりの手持ちの部分を帯２か帯５に通し、スナップボタン３かスナップボタン６で固定できるのでベビーカーに乗っている時や、お座りをして遊んでいる時などに使用すると、体の下敷きになったり、おしゃぶりが床についたりしない。
図４では、おしゃぶりに紐をつけているが、おしゃぶり単体のみでも固定でき、固定した状態のままおしゃぶりキャップをすることもできる。【００１２】  帯２と帯５はおしゃぶり以外にもガーゼやハンカチを掛けておくことも可能である。また、帯を使用しない場合でも図５のように異なった柄の布片７やレース８などを用いたデザインを入れてアクセントをつけた使用もできる。それぞれの面において、様々な布を組み合わせることで全く違った涎掛けをお洒落としても使用することができる。【００１３】  涎掛けを外す時は、正面からでも容易に除去できるばかりではなく、子供を横抱きにして眠ってしまっても、片手で前から容易に除去することができ、首の後ろに手をまわして外す必要がない。【００１４】  図面で示す実施例以外に、布片の両端部の形状や帯の位置、使用するボタンの位置等は自由に選択するのは構わない。
全体の布片を大きくして、大人使用の介護用としても使用できる。
【図面の簡単な説明】
【００１５】
【図１】本考案の一実施例を示す展開図である。
【図２】同上実施例の装着外観拡大図である。
【図３】同上実施例の重ね合わせた状態を示す外観図
【図４】おしゃぶりを使用する場合の状態を示す外観図
【図５】他の実施例を示す外観図
【符号の説明】
【００１６】    １帯状布片
２帯
３ボタン結合部分
４帯状布片
５帯
６ボタン結合部分
７布片
８レース
ａ面ファスナー一片
ｂ面ファスナー他片
ｃおしゃぶりをかける紐
ｄおしゃぶり
【図１】
0003137678.tif 000003
【図２】
0003137678.tif 000004
【図３】
0003137678.tif 000005
【図４】
0003137678.tif 000006
【図５】
0003137678.tif 000007